(57)【特許請求の範囲】
【請求項１】
無線送受信ユニット（ＷＴＲＵ）においてセル再選択を制御するための方法であって、
前記ＷＴＲＵが割り当てられた共通拡張専用チャネル（Ｅ−ＤＣＨ）リソースを有しているとき、新しいセルへの再選択を止めるステップと、
前記ＷＴＲＵが前記割り当てられた共通Ｅ−ＤＣＨリソースを有している間、前記ＷＴＲＵが測定を行うこと、および隣接セルをランク付けすることを継続するステップと、
前記割り当てられた共通Ｅ−ＤＣＨリソースの解放、および時間間隔の間、前記新しいセルがサービングセルより良くランク付けされてきたことに基づいて、前記新しいセルに再選択するステップと
を備えることを特徴とする方法。
【請求項２】
前記新しいセルへの再選択を止めることは、非再選択期間であり、
前記非再選択期間の開始は、前記ＷＴＲＵが第１のプリアンブルを送信したこと、拡張専用チャネル（Ｅ−ＤＣＨ）リソース割当てを含む肯定応答を前記ＷＴＲＵにおいて受信したこと、または、競合解決段階が成功裏に終了したという表示の受信、のうちの１つまたは複数によってトリガされることを特徴とする請求項１に記載の方法。
【請求項３】
再選択基準に基づいてセルをランク付けするステップと、
前記再選択基準に基づいて現在の最良のセルより良くランク付けされるセルを検出するステップと
をさらに備えることを特徴とする請求項２に記載の方法。
【請求項４】
前記セルの前記ランク付けを追跡するステップをさらに備えることを特徴とする請求項３に記載の方法。
【請求項５】
前記非再選択期間中、前記セルが前記現在の最良のセルより良くランク付けされる条件で、再選択タイマを再始動するステップと、
新しい最良のセルを、より良くランク付けされた前記セルに更新するステップと
をさらに備えることを特徴とする請求項４に記載の方法。
【請求項６】
１つまたは複数の再選択条件を検出するステップであって、前記再選択条件は、前記非再選択期間の終了をトリガする、ステップをさらに備えることを特徴とする請求項５に記載の方法。
【請求項７】
前記非再選択期間の前記終了をトリガする再選択条件は、前記割り当てられた共通Ｅ−ＤＣＨリソースの解放、または、Ｅ−ＤＣＨリソース要求に応答しての否定応答の受信、のうちの１つまたは複数を含むことを特徴とする請求項６に記載の方法。
【請求項８】
前記非再選択期間が終了しており、前記新しい最良のセルが前記現在の最良のセルと異なるセルであり、および前記新しい最良のセルが、所定の期間の間、前記現在の最良のセルより良くランク付けされてきた条件で、
前記新しい最良のセルへの再選択を実行するステップと、
前記新しい最良のセルにおいてセル更新メッセージを送信するステップと
をさらに備えることを特徴とする請求項７に記載の方法。
【請求項９】
セル再選択を制御するための無線送受信ユニット（ＷＴＲＵ）であって、
前記ＷＴＲＵが割り当てられた共通拡張専用チャネル（Ｅ−ＤＣＨ）リソースを有しているとき、新しいセルへの再選択を止め、
前記ＷＴＲＵが前記割り当てられた共通Ｅ−ＤＣＨリソースを有している間、測定を行うこと、および隣接セルをランク付けすることを継続し、および
前記割り当てられた共通Ｅ−ＤＣＨリソースの解放、および時間間隔の間、前記新しいセルがサービングセルより良くランク付けされてきたことに基づいて、前記新しいセルに再選択する
ように構成されたプロセッサを備えたことを特徴とするＷＴＲＵ。
【請求項１０】
前記新しいセルへの再選択を止めることは、非再選択期間であり、
前記非再選択期間の開始は、前記ＷＴＲＵによる第１のプリアンブルの送信、リソース割当てを含む肯定応答の前記ＷＴＲＵにおける受信、または、競合解決段階が成功裏に終了したという表示の前記ＷＴＲＵによる受信、のうちの１つまたは複数によってトリガされることを特徴とする請求項９に記載のＷＴＲＵ。
【請求項１１】
前記プロセッサは、さらに、再選択基準に基づいて現在の最良のセルより良くランク付けされるセルを検出するように構成されたことを特徴とする請求項１０に記載のＷＴＲＵ。
【請求項１２】
前記プロセッサは、さらに、
前記非再選択期間中、前記セルが前記現在の最良のセルより良くランク付けされる条件で、再選択タイマをリセットし、
新しい最良のセルを、より良くランク付けされた前記セルに更新する
ように構成されたことを特徴とする請求項１１に記載のＷＴＲＵ。
【請求項１３】
前記プロセッサは、さらに、再選択条件を検出するように構成され、前記再選択条件は、前記非再選択期間の終了をトリガすることを特徴とする請求項１２に記載のＷＴＲＵ。
【請求項１４】
前記非再選択期間の前記終了をトリガする前記再選択条件は、前記割り当てられた共通Ｅ−ＤＣＨリソースの解放、または、Ｅ−ＤＣＨリソース要求に応答しての否定応答の受信、のうちの１つまたは複数を含むことを特徴とする請求項１３に記載のＷＴＲＵ。
【請求項１５】
前記非再選択期間が終了しており、前記新しい最良のセルが前記現在の最良のセルと異なるセルであり、および前記新しい最良のセルが、所定の期間の間、前記現在の最良のセルより良くランク付けされてきた条件で、
前記プロセッサは、さらに、前記新しい最良のセルへの再選択を実行するように構成されており、
前記新しい最良のセルにおいてセル更新メッセージを送信するように構成された送信器  をさらに備えたことを特徴とする請求項１４に記載のＷＴＲＵ。
【発明の詳細な説明】
【技術分野】
【０００１】
本発明は、無線通信に関する。
【背景技術】
【０００２】
ＵＭＴＳ地上無線アクセスネットワーク（ＵＴＲＡＮ）内の無線送受信ユニット（ＷＴＲＵ）は、２つのモード、すなわちアイドルモードまたは接続モードのうちの一方にある。ＵＴＲＡＮは、接続モードにある間のＷＴＲＵの移動度および活動に基づいて、ＷＴＲＵに、いくつかの下位状態間、たとえばＣＥＬＬ＿ＰＣＨ、ＵＲＡ＿ＰＣＨ、ＣＥＬＬ＿ＦＡＣＨ、およびＣＥＬＬ＿ＤＣＨの間で移行するように指示することができる。ＷＴＲＵとＵＴＲＡＮの間のユーザプレーン通信は、ＣＥＬＬ＿ＦＡＣＨ状態およびＣＥＬＬ＿ＤＣＨ状態にある間だけ可能である。
【０００３】
ＣＥＬＬ＿ＤＣＨ状態は、アップリンクおよびダウンリンクにおける専用チャネルによって特徴付けられる。ＷＴＲＵ側では、これは連続的な送受信に対応する。したがって、ＣＥＬＬ＿ＤＣＨは、ユーザ電力要件が厳しくなり得る。ＣＥＬＬ＿ＦＡＣＨ状態は専用チャネルを使用せず、したがってアップリンクおよびダウンリンクのスループットが低下するが、電力消費をより良くすることができる。
【０００４】
ＣＥＬＬ＿ＦＡＣＨは、シグナリングトラフィック（たとえば、ＣＥＬＬ／ＵＲＡ  ＵＰＤＡＴＥメッセージの送信）に、また低いアップリンクスループットを必要とする応用例に適している。リリース７およびそれ以前では、ＣＥＬＬ＿ＦＡＣＨにおいては、アップリンク通信が、パケットランダムアクセスチャネル（ＰＲＡＣＨ）物理チャネルにマップされたランダムアクセストランスポートチャネル（ＲＡＣＨ）を介して行われる。ＲＡＣＨは、チャネルを獲得するための、また送信電力を調整するための電力ランプアップ手順を有する競合ベースのプロトコルである。
【０００５】
ダウンリンク通信は、２次共通制御物理チャネル（Ｓ−ＣＣＰＣＨ）物理チャネルにマップされた転送アクセストランスポートチャネル（ＦＡＣＨ）を介し、または高速専用物理チャネル（ＨＳ−ＤＰＣＨ）を介する。
【０００６】
移動度は、ＣＥＬＬ＿ＦＡＣＨにあるＷＴＲＵによって自律的に処理される。ソフトハンドオーバの概念は、現在（この標準のリリース７現在）、ＣＥＬＬ＿ＦＡＣＨ内にはない。ＷＴＲＵは独立して測定を行い、どのセルにキャンプオンするか決定する。
【０００７】
ＣＥＬＬ＿ＦＡＣＨ中のシステム情報は、ブロードキャストチャネル（ＢＣＨ）から読み取られる。この情報は、ＣＥＬＬ＿ＦＡＣＨで使用されるアップリンクＲＡＣＨチャネル、ダウンリンクＦＡＣＨチャネル、および高速ダウンリンク共用チャネル（ＨＳ−ＤＳＣＨ）チャネルに関するセットアップ詳細を含む。
【０００８】
ＣＥＬＬ＿ＦＡＣＨでは、ＷＴＲＵがセル内でキャンプしているとき、そのＷＴＲＵは、システム情報ブロードキャスト（ＳＩＢ）を介してブロードキャストされる１組の基準に従って、より良いセルを定期的に探索する。ＷＴＲＵは、たとえば同じ周波数、他の周波数、および他の無線アクセス技術（ＲＡＴ）で、隣接セルの信号強度測定を行う。ＷＴＲＵは、その１組の基準に従ってより良いセルが見つかったとき、その新しいセルに対してセル再選択を実施する。
【０００９】
ＷＴＲＵは、共通パイロットチャネル（ＣＰＩＣＨ）受信信号コード電力（ＲＳＣＰ）測定またはＣＰＩＣＨ  Ｅｃ／Ｉｏ測定を行うように構成されている。セルでキャンプオンする、またはセル選択に考慮されるためには、以下の基準を満たさなければならない。
すなわち、
Ｓｑｕａｌ＞０かつＳｒｘｌｅｖ＞０
上式で、
Ｓｑｕａｌ＝測定されたＥｃ／Ｉｏ−Ｑｑｕａｌｍｉｎ
Ｓｒｘｌｅｖ＝測定されたＲＳＣＰ−Ｑｒｘｌｅｖｍｉｎ−ｍａｘ（ＷＴＲＵ＿ＴＸＰＷＲ＿ＭＡＸ＿ＲＡＣＨ−Ｐ＿ＭＡＸ，０）
Ｓｑｕａｌはセル選択品質値であり、Ｓｒｘｌｅｘはセル選択受信（Ｒｘ）レベル値であり、Ｑｑｕａｌｍｉｎは、そのセル内の最小必要品質レベル（ｄＢ）であり、Ｑｒｘｌｅｖｍｉｎは、そのセル内の最小必要Ｒｘレベルである。さらに、ＷＴＲＵ＿ＴＸＰＷＲ＿ＭＡＸ＿ＲＡＣＨは、ＷＴＲＵがアップリンクＲＡＣＨにアクセスするときそのＷＴＲＵが使用することができる最大送信電力レベルを示し、これはネットワークによって決まり、ブロードキャストシステム情報を介してシグナリングされるものであり、Ｐ＿ＭＡＸは、ＷＴＲＵの最大出力を示す。
【００１０】
ＳＩＢ１１またはＳＩＢ１２内でブロードキャストされ受信された情報に基づいて隣接セルに対して測定が行われた後で、ＷＴＲＵは、
Ｒｓ＝Ｑｍｅａｓ，ｓ＋Ｑｈｙｓｔ＿ｓ＋Ｑｏｆｆｍｂｍｓ
Ｒｎ＝Ｑｍｅａｓ，ｎ−Ｑｏｆｆｓｅｔ＿ｓ，ｎ＋Ｑｏｆｆｍｂｍｓ
によって定義されるセルランキング基準Ｒに従ってセルをランク付けする。上式で、Ｑｍｅａｓは、平均ＣＰＩＣＨ  Ｅｃ／ＮｏまたはＣＰＩＣＨ  ＲＳＣＰから導出された受信信号の品質値であり、Ｑｈｙｓｔｓは、ヒステリシス値である。隣接セルは、少なくとも係数「Ｑｈｙｓｔ」倍だけサービングセルより良好でなければならない（セル再選択のための品質尺度がＣＰＩＣＨ  ＲＳＣＰおよびＣＰＩＣＨ  Ｅｃ／Ｎｏに設定されているとき、それぞれＱｈｙｓｔ１ｓおよびＱｈｙｓｔ２ｓが使用される）。Ｑｏｆｆｓｅｔｓ，ｎは、２つのセル間のオフセットである。セル再選択のための品質尺度がＣＰＩＣＨ  ＲＳＣＰおよびＣＰＩＣＨ  Ｅｃ／Ｎｏに設定されているとき、それぞれＱｏｆｆｓｅｔ１ｓ，ｎおよびＱｏｆｆｓｅｔ２ｓ，ｎが使用され、Ｑｏｆｆｍｂｍｓは、ＭＢＭＳに属するセルに加えられる追加のオフセットである。
【００１１】
このランキング基準は、階層セル構造（ＨＣＳ）を使用しない。ＨＣＳが使用されるとき、隣接者ランキング基準に追加の一時オフセット（ＴＯ）が追加される。添字「ｓ」は、サービングセルを指し、「ｎ」は隣接セルを指す。
【００１２】
上記で定義したセルランキング基準Ｒを使用して、サービングセルおよび隣接セルがＷＴＲＵによってランク付けされる。あるセルが最良のセルとしてランク付けされた場合、ＷＴＲＵは、Ｔｒｅｓｅｌｅｃｔｉｏｎのある時間間隔の間に、その新しいセルがサービングセルより良いものとランク付けされるときその新しいセルに対して再選択する。Ｔｒｅｓｅｌｅｃｔｉｏｎは、ＳＩＢ３／４内でブロードキャストされる値であり、典型的には０〜３１秒に及ぶ整数値である。品質尺度がＣＰＩＣＨ  ＥＣ／Ｎｏとして選択された場合、ＷＴＲＵは、２つのランキング、すなわち第１のＣＰＩＣＨ  ＲＳＣＰおよび第２のＣＰＩＣＨ  Ｅｃ／Ｎｏを実施する。第２のランキングは、第１のランキングにより隣接セルがサービングセルより良いと決定された場合に試みられる。
【００１３】
セル選択／再選択のためのパラメータ（すなわち、ＱｈｙｓｔおよびＴｒｅｓｅｌｅｃｔｉｏｎ）は、すべての状態（たとえば、ＩＤＬＥ、ＣＥＬＬ＿ＦＡＣＨ、ＣＥＬＬ／ＵＲＡ＿ＰＣＨ）に共通とすることができ、またはＦＡＣＨおよびＰＣＨに合わせて特に調整することができ、これらは添字ＦＡＣＨおよびＰＣＨによって示される（Ｔｒｅｓｅｌｅｃｔｉｏｎ＿ＰＣＨおよびＴｒｅｓｅｌｅｃｔｉｏｎ＿ＦＡＣＨ）。
【００１４】
また、セル再選択手順は、ＷＴＲＵの動きおよび速度を考慮する。システムによって示された期間中のセル再選択の数ｎｏｎ−ＨＣＳＴＣＲｍａｘまたはＴＣＲｍａｘが、システムによって示された数ｎｏｎ−ＨＳＣ＿ＮＣＲまたはＮＣＲを超えた場合、あるいはネットワークがＷＴＲＵにそれ自体高移動度状態にあると見なすように命令した場合、ＷＴＲＵは、「高移動度」状態にあると見なされる。高移動度状態が検出されたとき、ＷＴＲＵは、Ｔｒｅｓｅｌｅｃｔｉｏｎに情報要素（ＩＥ）Ｔｒｅｓｅｌｅｃｔｉｏｎのための速度依存倍率（Ｓｐｅｅｄ  ｄｅｐｅｎｄｅｎｔ  Ｓｃａｌｉｎｇ  Ｆａｃｔｏｒ  ｆｏｒ  Ｔｒｅｓｅｌｅｃｔｉｏｎ）を乗ずる。
【００１５】
標準化機関による最近の成果では、ＣＥＬＬ＿ＦＡＣＨにおいて、拡張ＤＣＨ（Ｅ−ＤＣＨ）を使用する可能性が識別されている。ＵＬ内のＥ−ＤＣＨは、ＣＥＬＬ＿ＤＣＨにある間、アップリンクスループットを高めるために、３ＧＰＰ仕様のリリース６において導入された機能である。拡張アップリンクは、要求／グラント原理で動作する。ＷＴＲＵは、必要とする要求容量の指示を、諸機構の組合せを通じて送り、一方、ネットワークは、これらの要求に対するグラントを用いて応答する。これらのグラントは、ノードＢスケジューラによって生成される。同時に、ハイブリッドＡＲＱが物理レイヤ送信用に使用される。
【００１６】
上記の機構を容易にするために、２つの新しいＵＬ物理チャネル（１つは制御用のＥ−ＤＰＣＣＨ、１つはデータ用のＥ−ＤＰＤＣＨ）ならびに３つの新しいＤＬ物理チャネル（２つはグラントの送信用、１つは高速レイヤ１のＡＣＫ／ＮＡＣＫ用）が導入された。したがって、ノードＢは、絶対グラントと相対グラントを共に発行することができる。グラントは、電力比の点でシグナリングされる。各ＷＴＲＵはサービンググラントを維持し、ＷＴＲＵはそれをペイロードサイズに変換することができる。ＣＥＬＬ＿ＤＣＨ内のＥ−ＤＣＨを使用するリリース７およびそれ以前のＷＴＲＵについては、移動度は、ソフトハンドオーバおよびアクティブセットの概念を介して、ネットワークによって処理される。
【００１７】
ＣＥＬＬ＿ＦＡＣＨ状態でのＥ−ＤＣＨ  ＵＬ送信は、ＣＥＬＬ＿ＦＡＣＨ状態にあるＷＴＲＵの間で共用される１組のブロードキャストされた共通Ｅ−ＤＣＨリソースに依拠している。ＷＴＲＵが、送信するＵＬデータを有するとき、そのＷＴＲＵは、ＰＲＡＣＨコード、シグネチャシーケンス、およびサブチャネルスロットをランダムに選択し、たとえばリリース９９ＲＡＣＨプリアンブルランピング手順を使用してアクセス要求を実施する。各シグネチャシーケンスは、デフォルトのＥ−ＤＣＨリソースに関連付けられる。ノードＢは、対応するＡＩＣＨシグナチャ上で獲得指示（ＡＩ）＝１値をシグナリングすることによって、このＥ−ＤＣＨリソースの使用を確認する。しかし、このデフォルトのリソースが遮断されている、または別のＷＴＲＵに割り当てられている場合には、ノードＢは、ＷＴＲＵに、その１組のブロードキャストされた共通Ｅ−ＤＣＨリソースから別のＥ−ＤＣＨリソースを割り当てる。これは、対応するＡＩＣＨシグナチャ上でＡＩ＝−１（すなわち、ＮＡＣＫ）をシグナリングすることによって行われ、これは、構成されている場合、ＷＴＲＵにＡＩの拡張されたセット（Ｅ−ＡＩ）を見るように示す指示である。
【００１８】
Ｅ−ＡＩは、ＮＡＣＫ、またはＷＴＲＵが使用すべきＥ−ＤＣＨリソースに対するインデックスをシグナリングすることができる。より具体的には、Ｅ−ＡＩＣＨ上の情報は、デフォルト構成のテーブルインデックスに加算するある数を表す（モジューロ−構成数）。
【００１９】
リソースが割り当てられた、または確認された後で、ＷＴＲＵはＵＬ送信を開始する。最初の送信の一部として、ＷＴＲＵは、専用トラフィックチャネル（ＤＴＣＨ）／専用制御チャネル（ＤＣＣＨ）のための衝突解決段階に入り、それにより、競合解決応答を受信するまで、そのＷＴＲＵのＥ−ＤＣＨ無線ネットワーク一時識別（Ｅ−ＲＮＴＩ）が各ＭＡＣ  ＰＤＵに含められる。ＷＴＲＵは、Ｅ−ＤＣＨ絶対グラントチャネル（Ｅ−ＡＧＣＨ）を介して競合解決応答を受信する。Ｅ−ＲＮＴＩがＥ−ＡＧＣＨ内で復号された後で、そのＷＴＲＵは、送信するデータがなくなるまで通常のＵＬ送信を続行する。送信するデータがなくなった後で、Ｅ−ＤＣＨリソースが解放される。あるいは、ネットワークは、いつでもＷＴＲＵをＣＥＬＬ＿ＤＣＨ状態に移行させることができる。
【００２０】
リソースの解放は、ネットワークがＥ−ＡＧＣＨを介して明示的に示すことができ、タイマが満了したときＷＴＲＵが暗黙のうちに決定することができる。
【発明の概要】
【発明が解決しようとする課題】
【００２１】
３ＧＰＰにおける最近の取決めの一部として、共用Ｅ−ＤＣＨリソースがＷＴＲＵに割り当てられている間、現行のセル再選択基準を適用しないことが合意されている。ＣＥＬＬ＿ＦＡＣＨ内でのＥ−ＤＣＨ送信の導入に伴って、Ｅ−ＤＣＨリソースが割り当てられている間ＷＴＲＵがセル再選択を実行することが許されない場合、性能が劣化するおそれがある。たとえば、同じ周波数上の隣接セルに対する干渉が発生する可能性がある。また、無線リンク失敗が発生し、ＷＴＲＵがセルとのその接続を失うことも、ＷＴＲＵにＥ−ＤＣＨリソースが割り当てられている間にセル再選択基準が満たされることもあり得る。
【００２２】
したがって、Ｅ−ＤＣＨリソースが割り当てられている間にセル再選択を処理するための方法および装置が求められている。
【課題を解決するための手段】
【００２３】
発展型ＨＳＰＡネットワーク内でセル再選択をサポートする方法および装置が開示される。チャネルリソースが割り当てられている無線送受信ユニットは、所定の基準が満たされるまでセル再選択から制限される。この選択できない期間中、ＷＴＲＵは、引き続き測定を行いかつレポートする。
【図面の簡単な説明】
【００２４】
本発明について、例として与えられ添付の図面と共に理解すべき好ましい実施形態の以下の説明からより詳細に理解することができる。
【図１】無線通信システムの例示的なブロック図である。
【図２】開示されている方法の例示的な流れ図である。
【発明を実施するための形態】
【００２５】
「無線送受信ユニット（ＷＴＲＵ）」という用語は、以下で参照されたとき、それだけには限らないが、ユーザ機器（ＷＴＲＵ）、移動局、固定型もしくは移動型加入者ユニット、ページャ、セルラ電話、携帯情報端末（ＰＤＡ）、コンピュータ、または無線環境内で動作することが可能な任意の他のタイプのデバイスを含む。「基地局」という用語は、以下で参照されたとき、それだけには限らないが、ノードＢ、サイトコントローラ、アクセスポイント（ＡＰ）、または無線環境内で動作することが可能な任意の他のタイプのインターフェース用デバイスを含む。
【００２６】
ＣＥＬＬ＿ＦＡＣＨ状態における拡張ランダムアクセスチャネル（Ｅ−ＲＡＣＨ）、拡張ＲＡＣＨ、およびＥ−ＤＣＨという用語を、この開示全体を通して相互交換可能に使用し、ＣＥＬＬ＿ＦＡＣＨ状態およびＩＤＬＥ状態にある間ＷＴＲＵによってアップリンク（ＵＬ）アクセスに使用され、それによって競合ベースのプリアンブル送信の後でＷＴＲＵにＥ−ＤＣＨリソースが割り当てられるリソースについて述べる。セル再選択基準をトリガするという用語は、ＷＴＲＵが、時間間隔Ｔｒｅｓｅｌｅｃｔｉｏｎの間、サービングセルより良いランク付けのものである新しいセルに対してセル再選択を実施する時を指す（ここでＴｒｅｓｅｌｅｃｔｉｏｎは、高移動度ＷＴＲＵのための倍率を含む）。Ｔｒｅｓｅｌｅｃｔｉｏｎは、ブロードキャストされる値、Ｔｒｅｓｅｌｅｃｔｉｏｎｓ、Ｔｒｅｓｅｌｅｃｔｉｏｎ＿ｓ  ＰＣＨ、Ｔｒｅｓｅｌｅｃｔｉｏｎ＿ｓ  ＦＡＣＨのうちの１つまたは組合せを含み、倍率を考慮する。
【００２７】
図１を参照すると、無線通信ネットワーク（ＮＷ）１０が１つまたは複数のＷＴＲＵ２０を備えており、各ＷＴＲＵは、開示されている方法を実施するように構成されたプロセッサ２１と、１つまたは複数のｅＮＢ３０と、１つまたは複数のセル４０とを含む。各セル４０は、１つまたは複数のｅＮＢ（ＮＢまたはｅＮＢ）３０を備える。
【００２８】
当業者なら理解しているように、セル再選択は、セル再選択基準に基づいてターゲットセルを決定することを含む。ターゲットセルが、ＷＴＲＵ２０が接続されていたセル（すなわち、ソースセル）とは異なる場合、ＷＴＲＵ２０は、ソースセル上で受信するのをやめ、ターゲットセル上でシステム情報の受信を開始し、ＣＥＬＬ＿ＵＰＤＡＴＥ手順を実施する。
【００２９】
ＷＴＲＵ２０にＥ−ＤＣＨリソースが割り当てられている間、セル再選択基準をトリガするのを回避する方法および装置が開示される。この開示されている方法によれば、プロセッサ２１は、ＷＴＲＵ２０がセル再選択を行うのを妨げる。ＷＴＲＵ２０がセル再選択を行うのを妨げられている期間を、以下、Ｎｏ＿Ｒｅｓｅｌｅｃｔｉｏｎ期間と称する。Ｎｏ＿Ｒｅｓｅｌｅｃｔｉｏｎ期間の開始は、１つまたは複数の条件下で発生するように定義することができる。たとえば、Ｎｏ＿Ｒｅｓｅｌｅｃｔｉｏｎは、ＷＴＲＵ２０が最初のプリアンブル送信を行った後、ＷＴＲＵ２０がＡＩＣＨ（ＡＩまたはＥ−ＡＩ）上でリソース割当てを受信した後、または競合解決段階が成功裏に終了したという指示をＷＴＲＵ２０が受信した後で発生することができる。
【００３０】
同様に、Ｎｏ＿Ｒｅｓｅｌｅｃｔｉｏｎ期間の終了は、いくつかの再選択条件の１つまたは複数にリンクさせることができる。これらの再選択条件は、ＷＴＲＵ２０によるＥ−ＤＣＨリソースの解放、ＷＴＲＵ２０によるリソース要求に応答してのＡＩＣＨ（ＡＩまたはＥ−ＡＩ）上の否定応答（ＮＡＣＫ）の受信、またはＷＴＲＵ２０による競合解決が不成功であったとの決定を含む。
【００３１】
Ｎｏ＿Ｒｅｓｅｌｅｃｔｉｏｎ期間の間に、ＷＴＲＵ２０は、引き続き最良のセルを監視し、測定を行い、その測定値をより高いレイヤにレポートする。また、ＷＴＲＵ２０は、これらの測定値を使用して、引き続きセルをランク付けする。システム情報ブロードキャスト（ＳＩＢ）を介してブロードキャストされた１組の基準に従って、より良いセルが見つかったとき（すなわち、Ｔｒｅｓｅｌｅｃｔｉｏｎタイマが満了した後）、ＷＴＲＵ２０は、必ずしもそのセルを選択せず、そのセルをＣｕｒｒｅｎｔ＿Ｂｅｓｔ＿Ｃｅｌｌとしてマークする。ＷＴＲＵ２０は、たとえば受信信号強度を使用し、より良いセルがあるかどうか判定することができる。
【００３２】
ＷＴＲＵ２０が、連続的な長い時間の間、Ｅ−ＤＣＨリソースを保持している場合、ＷＴＲＵ２０は、そのセルのランキングを変更することができ、したがって新しいセルが、Ｎｏ＿Ｒｅｓｅｌｅｃｔｉｏｎ期間に、Ｃｕｒｒｅｎｔ＿Ｂｅｓｔ＿Ｃｅｌｌより良いものとランク付けされたものになることができる。
新しいセルがＣｕｒｒｅｎｔ＿Ｂｅｓｔ＿Ｃｅｌｌより良いランキングを有すると判明した場合、ＷＴＲＵ２０は、そのランキングを監視し、そのランキングを追跡することができ、あるいは、Ｔｒｅｓｅｌｅｃｔｉｏｎタイマ、または新しいセルがＮｏ＿Ｒｅｓｅｌｅｃｔｉｏｎ期間中により良いランク付けのものである場合に使用される別のタイマを再始動することができる。ＷＴＲＵ２０は、新しいセルがＣｕｒｒｅｎｔ＿Ｂｅｓｔ＿Ｃｅｌｌより良いランク付けのものである、または新しいセルが、ある時間間隔（たとえば、Ｔｒｅｓｅｌｅｃｔｉｏｎ、新しいタイマ、またはＴｒｅｓｅｌｅｃｔｉｏｎのスケーリングされたバージョン）の間、Ｃｕｒｒｅｎｔ＿Ｂｅｓｔ＿Ｃｅｌｌより良いランク付けのものである場合、マークされているＣｕｒｒｅｎｔ＿Ｂｅｓｔ＿Ｃｅｌｌを新しいセルに更新することができる。あるいは、より良いランク付けのセルが見つかっても、Ｃｕｒｒｅｎｔ＿Ｂｅｓｔ＿Ｃｅｌｌ値は、ＷＴＲＵ２０によって更新することはできない。
【００３３】
Ｎｏ＿Ｒｅｓｅｌｅｃｔｉｏｎ期間の終了時に、ＷＴＲＵ２０は、直ちにＣｕｒｒｅｎｔ＿Ｂｅｓｔ＿Ｃｅｌｌ上でＣＥＬＬ＿ＵＰＤＡＴＥをネットワークに送る。この時点で、ＷＴＲＵ２０は、Ｔｒｅｓｅｌｅｃｔｉｏｎタイマをゼロにリセットするか、タイマを停止するか、新しいセルがＣｕｒｒｅｎｔ＿Ｂｅｓｔ＿Ｃｅｌｌおよびサービングセルより良いランク付けのものである場合、タイマを続行させる。また、ＷＴＲＵ２０は、最後のＣＥＬＬ＿ＵＰＤＡＴＥ以来発生した変更に関してネットワークに通知するために、ＣＥＬＬ＿ＵＰＤＡＴＥメッセージ内に追加情報を含めることができる。たとえば、ＷＴＲＵ２０は、Ｎｏ＿Ｒｅｓｅｌｅｃｔｉｏｎ期間中に発生したＣｕｒｒｅｎｔ＿Ｂｅｓｔ＿Ｃｅｌｌ変更の数に関してネットワークに通知することができ、それによりネットワークは、ＷＴＲＵ２０の移動度を理解することができる。Ｃｕｒｒｅｎｔ＿Ｂｅｓｔ＿Ｃｅｌｌの複数の変更があった場合、ＷＴＲＵは、すべての場合にＣＥＬＬ＿ＵＰＤＡＴＥメッセージを送ることができ、またはＣｕｒｒｅｎｔ＿Ｂｅｓｔ＿ＣｅｌｌがＮｏ＿Ｒｅｓｅｌｅｃｔｉｏｎ期間の開始時のサービングセルと異なる場合だけに送ることができる。
【００３４】
Ｎｏ＿Ｒｅｓｅｌｅｃｔｉｏｎ期間の終了時に新しいセルがサービングセルおよびＣｕｒｒｅｎｔ＿Ｂｅｓｔ＿Ｃｅｌｌより良いランク付けのものである場合、ＷＴＲＵ２０は、すぐにはＣｕｒｒｅｎｔ＿Ｂｅｓｔ＿Ｃｅｌｌ上でＣＥＬＬ＿ＵＰＤＡＴＥを送らない。その代わりに、ＷＴＲＵ２０はタイマ（Ｔｒｅｓｅｌｅｃｔｉｏｎタイマの同じバージョン、異なるバージョン、またはスケーリングされたバージョン）を始動し、そのより高いランキングがタイマの持続時間の間存続している場合だけＣＥＬＬ＿ＵＰＤＡＴＥを送ることができる。
【００３５】
あるいは、新しいセルがＣｕｒｒｅｎｔ＿Ｂｅｓｔ＿Ｃｅｌｌより良いランク付けのものになったときセル再選択タイマ（すなわち、Ｔｒｅｓｅｌｅｃｔｉｏｎまたは新しいタイマ）が始動された場合、ＷＴＲＵ２０は、その新しいセルに対してＣＥＬＬ＿ＵＰＤＡＴＥを開始する前に、タイマが満了するのを待つことができる。あるいは、ＷＴＲＵ２０は、直ちに新しいセルに対してセル選択を実施し、ＣＥＬＬ＿ＵＰＤＡＴＥを新しいセルに送ることができる。あるいは、新しいセルが、指定された時間間隔の持続時間の間、より良いランク付けのものでない場合、ＷＴＲＵ２０は、Ｃｕｒｒｅｎｔ＿Ｂｅｓｔ＿Ｃｅｌｌに対して再選択することも、現行のサービングセル内に留まることもできる。
【００３６】
代替の開示されている方法では、ＷＴＲＵ２０が共通Ｅ−ＤＣＨリソースを有する間、ＷＴＲＵ２０は、セル再選択がまさに行われたかのように振る舞う。ランキングおよびＴｒｅｓｅｌｅｃｔｉｏｎタイマは、セル再選択判断から切り離される。Ｎｏ＿Ｒｅｓｅｌｅｃｔｉｏｎ期間中、ＷＴＲＵ２０は、引き続き測定を行い、これらの測定値をより高いレイヤにレポートする。各測定期間では、ＷＴＲＵ２０は、セルをランク付けし、より良いセルが見つかった場合、Ｔｒｅｓｅｌｅｃｔｉｏｎタイマを始動する。このタイマは、新しいセルがサービングセルより良いものとしてランク付けされるたびにリセット（またはリセットおよび再始動）することができる。あるいは、このタイマを続行させることができる（サービングセルが最良のセルとしてランク付けされた場合だけリセットされる）。Ｎｏ＿Ｒｅｓｅｌｅｃｔｉｏｎ期間の終了時に、Ｔｒｅｓｅｌｅｃｔｉｏｎタイマが始動しており、タイマがＴｒｅｓｅｌｅｃｔｉｏｎ限度を超え、最良のセルがＮｏ＿Ｒｅｓｅｌｅｃｔｉｏｎ期間の開始時のサービングセルと異なる場合には、ＷＴＲＵ２０は、直ちにセル再選択を宣言することができる。
【００３７】
Ｎｏ＿Ｒｅｓｅｌｅｃｔｉｏｎ期間の終了時に、Ｔｒｅｓｅｌｅｃｔｉｏｎタイマが動作中であり、セル再選択を宣言するために必要とされるＴｒｅｓｅｌｅｃｔｉｏｎ限度を超えていない場合、ＷＴＲＵ２０は、タイマを続行させることができる。次いで、ＷＴＲＵ２０は、レガシ（リリース７）セル再選択手順を進める。あるいは、ＷＴＲＵ２０は、Ｎｏ＿Ｒｅｓｅｌｅｃｔｉｏｎ期間の終了時にＴｒｅｓｅｌｅｃｔｉｏｎタイマをリセット／再始動し、次いでレガシセル再選択を進めることができる。
【００３８】
この開示されている方法の例示的な流れ図が図２に示されている。ＷＴＲＵ内に含まれているプロセッサが、Ｎｏ＿Ｒｅｓｅｌｅｃｔｉｏｎ期間を開始する条件の発生を検出する（ステップ２００）。ＷＴＲＵは、引き続き測定を行い、Ｃｕｒｒｅｎｔ＿Ｂｅｓｔ＿Ｃｅｌｌを決定するためにセルをランク付けする（ステップ２０１）。測定を使用してより良いセルが検出され、そのより良いセルがサービングセルと同じである場合、Ｔｒｅｓｅｌｅｃｔｉｏｎタイマがリセットされ、最良のセルが記憶される（ステップ２０２）。より良いセルがサービングセルと同じでない場合、Ｔｒｅｓｅｌｅｃｔｉｏｎタイマが始動／再始動され、最良のセルが記憶される（ステップ２０３）。
【００３９】
次いで、Ｎｏ＿Ｒｅｓｅｌｅｃｔｉｏｎ期間の終了のチェックが実施される。Ｎｏ＿Ｒｅｓｅｌｅｃｔｉｏｎ期間が終了していない場合、ＷＴＲＵは、引き続き測定を行い、セルをランク付けする（ステップ２０４）。Ｎｏ＿Ｒｅｓｅｌｅｃｔｉｏｎ期間の終了が検出され、次いでＴｒｅｓｅｌｅｃｔｉｏｎが限度を超えており、記憶されている最良のセルがサービングセルでない場合、ＷＴＲＵは、記憶されている最良のセルに対してセル再選択し（ステップ２０５）、ＣＥＬＬ＿ＵＰＤＡＴＥメッセージを送信する（ステップ２０６）。次いで、ＷＴＲＵは、セル再選択評価手順を実施する（ステップ２０７）。
【００４０】
Ｔｒｅｓｅｌｅｃｔｉｏｎタイマが限度を超えておらず、かつ／または最良のセルがサービングセルである場合、ＷＴＲＵは、セル再選択評価手順を実施する（ステップ２０８）。
【００４１】
ＷＴＲＵが、行われた測定を使用してより良いセルを検出しない場合、Ｎｏ＿Ｒｅｓｅｌｅｃｔｉｏｎ期間の終了のチェックが実施される。
【００４２】
代替の方法では、Ｅ−ＲＡＣＨ送信中にセル再選択が差し迫っている、またはセル再選択が行われる可能性が非常に高いとＷＴＲＵ２０が決定した場合、ＷＴＲＵ２０がＥ−ＲＡＣＨアクセスを開始することが妨げられる。セル再選択が差し迫っている、または非常に可能性が高いかどうかは、隣接セルがサービングセルより良いランク付けのものである場合、または隣接セルがサービングセルより良いランク付けのものであり、以下の基準（セル再選択見込み基準と称する）の１つまたは組合せが満たされる場合に決定することができる。すなわち、
・  Ｔｒｅｓｅｌｅｃｔｉｏｎタイマが動作中である。
・  新しいセルがサービングセルより良いランク付けのものとなった時以来、Ｔｒｅｓｅｌｅｃｔｉｏｎ時間間隔のＮパーセントが経過した。ここでＮは、システムによって構成された値、所定の値、またはＷＴＲＵ２０によって決定された値である。
・  ＴｒｅｓｅｌｅｃｔｉｏｎタイマがＮ未満の時間間隔で満了することになる（すなわち、残り時間＜Ｎ）。ここでＮは、システムによって構成された値、所定の値、またはＷＴＲＵによって決定された値とすることができる。
・  ＵＬで送ろうとするデータビットの総量がＮより大きい。ここでＮは、このＳＩＢを介してブロードキャストされた、または予め構成された、またはＷＴＲＵ内で予め決定された、システムによって構成された値、あるいはＷＴＲＵによって決定された値である。
・  ＵＬデータを送信するために必要とされる最大時間（すなわち、最低データ転送速度における、またＥ−ＲＡＣＨ獲得およびリソース割当てを得るための最大時間を考慮したもの）が、Ｔｒｅｓｅｌｅｃｔｉｏｎが満了するまでの残り時間未満である。
・  ＷＴＲＵがそれ自体高移動度ＷＴＲＵであると見なしている。任意選択で、ＷＴＲＵは、新しい尺度を使用し、多数のセル再選択を実施すると決定することができる。
ＵＬデータが特定の論理チャネルタイプのもの（すなわち、ＣＣＣＨまたはＤＴＣＨ）であり、たとえば、ＣＣＣＨデータを送信しようとする場合、ＷＴＲＵは、Ｅ−ＲＡＣＨアクセスを実施することが許される。ＤＴＣＨまたはＤＣＣＨの場合、ＷＴＲＵは、Ｅ−ＲＡＣＨアクセスを行うのを制限される可能性がある。および／または、
・  ＷＴＲＵに専用Ｅ−ＲＮＴＩが割り当てられており、たとえば、Ｅ−ＲＮＴＩが割り当てられている場合、ＷＴＲＵは、Ｅ−ＲＡＣＨアクセスを行うのを制限され、そうでない場合、ＷＴＲＵはＥ−ＲＡＣＨアクセスを実施し、ソースセルを介してデータを送信することができる。
【００４３】
この方法によれば、閾値、パラメータ、制限（すなわちＮ）を、ネットワーク１０が構成することができ、システム情報ブロードキャストを介してＷＴＲＵに送ることができる。
【００４４】
あるいは、サービングセルの信号品質が１つまたは複数の測定期間にわたって低下しつつあるとき、たとえばＷＴＲＵ２０が、サービングセル基準が満たされていない、またはサービングセルの信号強度が、システムによって構成された閾値未満であると決定した場合、ＷＴＲＵ２０は、Ｅ−ＲＡＣＨアクセスを行うのを制限される。
【００４５】
しかし、この制限は、緊急通報のシナリオには適用されないことがある。ＷＴＲＵ２０は、Ｅ−ＲＡＣＨアクセスを制限する基準の１つが満たされている場合、リリース９９（Ｒ９９）ＲＡＣＨアクセスを実施することを選択することができる。
【００４６】
Ｅ−ＲＡＣＨアクセスが制限されており、ＷＴＲＵ２０が、送信すべきアップリンク（ＵＬ）データを有するとき、ＷＴＲＵ２０がより速いセル再選択を実施することを可能にし、ＵＬデータ転送遅延を低減するために、Ｔｒｅｓｅｌｅｃｔｉｏｎタイマを倍率だけスケーリングさせることができる。倍率は、ＳＩＢ内でブロードキャストされても、ＷＴＲＵ２０内に予め構成されていても、ＷＴＲＵ２０によって決定されてもよい。
【００４７】
あるいは、ＷＴＲＵ２０は、Ｔｒｅｓｅｌｅｃｔｉｏｎタイマが満了しておらず、Ｅ−ＲＡＣＨアクセスを制限する条件が満たされている場合でさえ、直ちにセル再選択を実施することができる。
【００４８】
ＷＴＲＵ２０がＥ−ＲＡＣＨアクセスを開始するのを妨げている条件が、Ｔｒｅｓｅｌｅｃｔｉｏｎ時間の間存続していない（たとえば、新しいセルがより良いランク付けのものでない）場合には、ＷＴＲＵ２０は、Ｅ−ＲＡＣＨアクセスを開始することができる。
【００４９】
Ｅ−ＲＡＣＨアクセスが上記で指定したセル再選択基準の検出により制限されている場合、ＷＴＲＵ２０は、ＣＥＬＬ＿ＵＰＤＡＴＥに、またはＳＩを介して、ＷＴＲＵ２０が送らなければならない新しいデータの量を示す指示を含めることができる。次いで、ネットワーク１０は、ターゲットセル上でこのＵＬデータを送るために、ＷＴＲＵ２０用に競合のないＥ−ＤＣＨリソースを予め割り当てることができる。リソースに対するインデックスを、ＣＥＬＬ＿ＵＰＤＡＴＥ  ＣＯＮＦＩＲＭメッセージを介して、または高速共用制御チャネル（ＨＳ−ＳＣＣＨ）オーダを介してＷＴＲＵ２０に送ることができる。
【００５０】
あるいは、ＷＴＲＵ２０がプリアンブルランプアップ段階にある間にセル再選択基準がトリガされない場合、そのＷＴＲＵは、Ｅ−ＲＡＣＨアクセスを開始することが許される。たとえば、ＷＴＲＵ２０がプリアンブルを送っており、予想されるときにＡＩＣＨ応答を受信せず、セル再選択を実施するためのタイマが満了した場合、ＷＴＲＵ２０は、Ｅ−ＲＡＣＨアクセス手順を放棄し、セル再選択を実施する。
【００５１】
他の開示されている方法では、ＷＴＲＵ２０がＵＬリソースを有する間にセル再選択基準が満たされる（すなわち、Ｔｒｅｓｅｌｅｃｔｉｏｎタイマが満了した）とき、かつ／またはＷＴＲＵ２０が上述のようにＥ−ＲＡＣＨにアクセスするのを禁止されていないが、上記で開示されているセル再選択見込み基準の１つまたは複数が満たされるとき、ＵＬデータ転送速度および／またはグラントが制限される。
【００５２】
データ転送速度（すなわち、使用されているＥ−ＴＦＣＩ）またはグラントの制限は、Ｅ−ＲＡＣＨアクセス中に、セル再選択基準が発生したとき、またはＥ−ＲＡＣＨアクセスが開始されたら直ちに（ＵＬデータ開始）行われることがある。データ転送速度は、セル再選択基準が満たされたとき、ＷＴＲＵ２０によって独立して制御することができる。
ＷＴＲＵ２０は、２つのセルに対して行われた測定に基づいて、使用するＴＢサイズを決定し、あるいはＴＢサイズは、ネットワークから構成される。ネットワーク１０は、ＷＴＲＵ２０がＵＬ内で送信中である間、セル再選択基準が満たされた場合、使用する１つのＴＢまたは１組のＴＢでＷＴＲＵ２０を構成することができる。ＴＢサイズの構成は、ＳＩＢを介してブロードキャストすることも、予め構成する、またはＷＴＲＵ２０によって予め決定することも、Ｅ−ＤＣＨ最小セットＥ−ＴＦＣＩに制限することもできる。
【００５３】
代替では、データ転送速度および／またはグラントが、ノードＢ３０によって制御される。ＷＴＲＵ２０は、セル再選択タイマが満了したとき、またはＲＡＣＨアクセスを開始するとき、上記で開示されているセル再選択見込み基準に基づいて、Ｅ−ＲＡＣＨ送信中にセル再選択が差し迫っている、またはセル再選択が行われる可能性が非常に高いとＷＴＲＵ２０が気づいているとき、ノードＢ３０に指示を送る。
【００５４】
この指示は、セル再選択基準を示すためのＳＩの特別な予約値を使用して、ＷＴＲＵ２０によってノードＢ３０に送信することができる。ＷＴＲＵ２０は、ＴＥＢＳ＝０および／またはゼロに等しい電力ヘッドルームと共にＳＩを送る。あるいは、ＬＣＨ−ＩＤの予約フィールドを最高優先順位論理チャネルＩＤ（ＨＬＩＤ）のために使用し、セル再選択基準がＷＴＲＵ内で発生したことを示す。新しいトリガ用基準を導入し、ＷＴＲＵ２０に共用Ｅ−ＤＣＨリソースが割り当てられている間にセル再選択基準が満たされたときＳＩをトリガすることもできる。
【００５５】
Ｅ−ＤＰＣＣＨ内のＥ−ＴＦＣＩの特別な予約値を使用し、この指示、または構成されている場合にはＨＳ−ＤＰＣＣＨ内の予約されたＣＱＩ値を送信することもでき、あるいはこの指示を、ＭＡＣ−ｅまたはＭＡＣ−ｉ  ＰＤＵに添付することもできる。この指示の存在は、ＭＡＣ−ｅまたはＭＡＣ−ｉヘッダ（たとえば、特別なＬＣＨ−ＩＤ値、またはＳＩのためのＬＣＨ−ＩＤ用の予約値の後に続く１ビット値）を介してシグナリングすることができる。レイヤ１（Ｌ１）／レイヤ２（Ｌ２）、ならびにセルＩＤを含む、隣接セルからの測定結果を添付することができるレイヤ３（Ｌ３）メッセージをも使用することができる。
【００５６】
ノードＢ３０によってこの指示が受信されたとき、ノードＢ３０は、以下の１つまたは複数を行うことができる。すなわち、
・  絶対グラント値を低減する。
・  Ｅ−ＤＣＨリソースを解放し、これをＷＴＲＵに明示的に示す。
・  セル再選択を実施するためのＷＴＲＵ許可を与えるためにＨＳ−ＳＣＣＨオーダを送る。
・  Ｌ３メッセージを使用し、セル再選択を進めるようにＷＴＲＵに示す。
・  ネットワークは、ターゲットセル用に競合のないＥ−ＤＣＨリソースを予め割り当て、その情報をＷＴＲＵに、ターゲットセル内でブロードキャストされる情報に対するインデックスをシグナリングする、またはＲＲＣメッセージを介してリソースを提供することによって提供することができる。任意選択で、ネットワークは、ＷＴＲＵがこのＥ−ＤＣＨリソースを使用して開始することができる活動化時間を与えることもできる。
・  Ｌ３メッセージ（すなわち、ＲＲＣ再構成メッセージ）を使用し、ターゲットセルがＨＳ−ＤＳＣＨサービングセルとして働く状態で、ＷＴＲＵをＣＥＬＬ＿ＤＣＨに移行する。および／または、
・  Ｌ３またはアクティブセット更新を使用し、サービングセルがソースまたはターゲットセルである状態で、直ちにＷＴＲＵをソフトハンドオーバに移行する。
【００５７】
代替の開示されている方法では、ネットワークは、ＷＴＲＵ２０がＥ−ＤＣＨを介してアクセスを開始しつつあるとき、ＷＴＲＵ２０から様々なセルで受信された信号の測定レベルに基づいて、ＷＴＲＵが所与のセルに対して著しい干渉を引き起こしやすいと決定する。そのような評価は、ＷＴＲＵ送信の１つまたは多数の異なる段階で行うことができる。たとえば、ネットワーク１０は、プリアンブル送信（すなわち、ＡＩＣＨ／Ｅ−ＡＩＣＨ送信前の最後のプリアンブル送信）中、競合解決前のＥ−ＤＣＨ送信中、および競合解決後のＥ−ＤＣＨ送信中に評価を行うことができる。
【００５８】
そのような評価は、同じノードＢに属するセル内で行うことができる。したがって、ＷＴＲＵ２０が所与のセルに対して引き起こしている、または引き起こすであろう干渉がある閾値を超えたと決定したとき、ネットワーク１０は、ＡＩＣＨ（ＡＩまたはＥ−ＡＩ）を介して「ＮＡＣＫ」を送信することによって、ＷＴＲＵ２０にどのリソースも割り当てないと判断することができる。ネットワーク１０によるこのアクションは、リソースが割り当てられる前にＷＴＲＵがアクセスするためのプリアンブルを送信しているときその決定が行われた場合、可能である。また、ネットワーク１０は、小さなデフォルトのグラントでリソースを割り当てることができる。ＷＴＲＵ２０が共通Ｅ−ＤＣＨリソースを使用してすでに送信している場合、ネットワーク１０は、リソースを解放した後でセル再選択を実施するように示すＷＴＲＵ２０に対する指示を使用して、ＷＴＲＵ２０に割り当てられたリソースを解放すると判断することができる。そのような指示は、たとえば、Ｅ−ＡＧＣＨの特別な値を使用し、リソースに関連付けられたＥ−ＲＮＴＩ、または使用可能な場合、ＷＴＲＵ専用のＥ−ＲＮＴＩを使用して、シグナリングすることができる。また、リソースは、やはりシグナリングすることができるある遅延の前にアクセスを再試行しないように示すＷＴＲＵ２０に対する指示を使用して解放させることができる。
【００５９】
ＷＴＲＵ２０は、リソースを解放するように示す指示を受信すると、Ｅ−ＤＣＨリソースを解放し、セル再選択を実施する。Ｅ−ＤＣＨリソースを解放することは、Ｅ−ＲＮＴＩをクリアすること、Ｅ−ＤＣＨ送信および受信手順をやめること、ＨＡＲＱバッファをフラッシュすること、すべての論理チャネルまたは優先待ち行列のＴＳＮをリセットすること、またはＭＡＣセグメント化機能によって記憶されているＲＬＣ  ＰＤＵの未送信部分もしくはセグメントがあればそれを破棄すること、およびＭＡＣ−ｉｓ／ｉリセットを実施することを含む。
【００６０】
ネットワークからのそのような指示によりセル再選択が行われるとき、ＷＴＲＵ２０は、通常のセル再選択手順の場合と異なるセル再選択パラメータ（たとえば、Ｑｈｙｓｔ、Ｔｒｅｓｅｌｅｃｔｉｏｎ）を使用することができる。たとえば、ＷＴＲＵ２０は、Ｑｈｙｓｔ＝０およびＴｒｅｓｅｌｅｃｔｉｏｎ＝０を使用して基準を評価することができる。さらに、測定値のレイヤ３フィルタリングは、異なるフィルタパラメータの使用を通じて省く、または修正することができる。これらのパラメータの値は、システム情報を介してシグナリングすることも、予め決定しておくこともできる。ＷＴＲＵ２０が、遅延がシグナリングされる前にアクセスを再試行しないように示す指示を受信した場合、ＷＴＲＵ２０は、ＣＥＬＬ＿ＵＰＤＡＴＥ手順を実施するためにＥ−ＤＣＨリソースにアクセスする前に、この持続時間の間待つ。
【００６１】
他の開示されている方法では、Ｅ−ＤＣＨリソースが割り当てられているＷＴＲＵ２０が、セル再選択を実施すべきであると決定する。ＷＴＲＵ２０は、１つまたは複数の基準が満たされる場合、この決定を行う。この基準は、たとえばＭＡＣパケットデータユニット（ＰＤＵ）失敗率がシステムの、または予め定義された閾値より高いこと、ＷＴＲＵ２０がｘ回の連続する送信の間、またはシステムによって構成された時間量の間、ＨＡＲＱフィードバックを受信しない場合、無線リンク失敗が発生すること、物理レイヤポスト検証に失敗することを含む。
【００６２】
ＷＴＲＵ２０が、セル再選択を実施すべきであると決定したとき、ＷＴＲＵ２０は、Ｅ−ＤＣＨリソースを解放し、セル再選択を実施する。上記で開示されているように、セル再選択が上記の基準のうちの１つまたは複数の結果として行われるとき、ＷＴＲＵ２０は、通常のセル再選択手順の場合と異なるセル再選択パラメータ（たとえば、Ｑｈｙｓｔ、Ｔｒｅｓｅｌｅｃｔｉｏｎ）を使用することができる。たとえば、ＷＴＲＵ２０は、Ｑｈｙｓｔ＝０およびＴｒｅｓｅｌｅｃｔｉｏｎ＝０を使用して基準を評価することができる。さらに、測定値のレイヤ３フィルタリングは、異なるフィルタパラメータの使用を通じて省く、または修正することができる。これらのパラメータの値は、システム情報を介してシグナリングすることも、予め決定しておくこともできる。
【００６３】
他の開示されている方法では、ＷＴＲＵ２０は、Ｎｏ＿Ｒｅｓｅｌｅｃｔｉｏｎ期間中、すべてのセル再選択判断を中断する。しかし、ＷＴＲＵ２０は、引き続き測定を行い、それらをより高いレイヤにレポートする。しかし、そのより高いレイヤは、これらの測定値をセル再選択に使用しない。Ｔｒｅｓｅｌｅｃｔｉｏｎタイマおよび移動度計数は、中断することも、リセットすることも、停止することもできる。そのより高いレイヤは、Ｎｏ＿Ｒｅｓｅｌｅｃｔｉｏｎ期間中、測定値のＬ３フィルタリングを実施することができるが、ランキングを実施することができない。あるいは、ランキングを依然として実施することができるが、セル再選択タイマが開始されない。
【００６４】
Ｎｏ＿Ｒｅｓｅｌｅｃｔｉｏｎ期間の終了時に、タイマおよび計数が再始動される。ＷＴＲＵ２０は、検出されたセット内でセルをランク付けし、あるいは、Ｎｏ＿Ｒｅｓｅｌｅｃｔｉｏｎ期間中により高いレイヤによって実施されるランキングを使用する。Ｎｏ＿Ｒｅｓｅｌｅｃｔｉｏｎ期間の終了時に、新しいセルがサービングセルより良いランク付けのものである場合、Ｔｒｅｓｅｌｅｃｔｉｏｎタイマが直ちに始動される。あるいは、より良いランク付けのセルがＮｏ＿Ｒｅｓｅｌｅｃｔｉｏｎ期間中に見つかった場合、Ｔｒｅｓｅｌｅｃｔｉｏｎタイマを短縮することができる。
【００６５】
Ｎｏ＿Ｒｅｓｅｌｅｃｔｉｏｎ期間の開始時のサービングセルがもはや検出されたセットにない場合、サービングセルは、ランキングの最下位にあると見なされる。次いでＷＴＲＵ２０は、Ｔｒｅｓｅｌｅｃｔｉｏｎ時間間隔を待たずにセル再選択判断を行うことができ、あるいは、ＷＴＲＵ２０は、そのような判断を行う前に、Ｔｒｅｓｅｌｅｃｔｉｏｎまたは何らかの新しいタイマを使用して、ある期間の間、サービングセルがもはや検出されないことを確認することができる。
【００６６】
他の代替の方法では、ＷＴＲＵ２０は、拡張ＲＡＣＨアクセスを試みる前に、セルランキングを実施する。この方法によれば、セル再選択アルゴリズムは、好ましい条件がある場合、ＷＴＲＵ２０に強制的にセル再選択させるようにゆがめられ、これはセルランキングを監視することに基づくものである。たとえば、サービングセルは最後のＴ＿ｘミリ秒の間、もはや最良のセルではなく、ここでＴ＿ｘは、指定されたもの、システム情報内でブロードキャストされたもの、またはＴｒｅｓｅｌｅｃｔｉｏｎに基づくものであり、あるいは、最後のＮ個の測定期間のうち少なくともＫ個の間、ある隣接セルがサービングセルより良いランク付けのものである。
【００６７】
代替の方法では、ＷＴＲＵ２０は、ＷＴＲＵ２０が現在接続しているセルと同じ周波数を使用しているセルに対して再選択するかどうか判断するために様々なセル再選択パラメータを使用することができる。これらのパラメータは、それだけには限らないがＴｒｅｓｅｌｅｃｔｉｏｎおよびＱｈｙｓｔを含み、これらはＴｒｅｓｅｌｅｃｔｉｏｎ＿ｉｎｔｒａまたはＱｈｙｓｔ＿ｉｎｔｒａと呼ばれることがある。これらのパラメータは、ＷＴＲＵ２０がより短い時間後に、またより小さいセル品質の差でセル再選択を実施するように、周波数間の場合より低い値に設定される。したがって、これらの修正から得られる基準は、ＣＥＬＬ＿ＦＡＣＨ状態における拡張アップリンク機能をサポートする、かつ／または使用するＷＴＲＵだけに適用可能とすることができる。
【００６８】
これらのパラメータの値は、システム情報メッセージを介して明示的にシグナリングすることができる。あるいは、これらのパラメータに対して倍率をシグナリングすることができ、それらをＴｒｅｓｅｌｅｃｔｉｏｎおよびＱｈｙｓｔに適用し、Ｔｒｅｓｅｌｅｃｔｉｏｎ＿ｉｎｔｒａおよびＱｈｙｓｔ＿ｉｎｔｒａの値を得ることができる。
【００６９】
（実施形態）
１．  再選択を制御するための方法であって、
チャネルリソースが割り当てられているかどうか判定するステップと、
再選択基準が満たされるかどうか判定するステップと
を具えたことを特徴とする方法。
２．  拡張ランダムアクセスチャネル（Ｅ−ＲＡＣＨ）送信中にセル再選択が突出している（eminent）と決定されたときＥ−ＲＡＣＨアクセスを開始するステップをさらに具えたことを特徴とする実施形態１記載の方法。
３．  Ｅ−ＲＡＣＨ送信中にセル再選択が行われる可能性が非常に高いときＥ−ＲＡＣＨアクセスを開始するステップをさらに具えたことを特徴とする実施形態１記載の方法。
４．  セル再選択が行われることになるかどうかの判定は、隣接セルがサービングセルより良いランク付けのものであるかどうか判定するステップと、１つまたは複数のセル再選択基準が満たされるかどうか判定するステップとを含むことを特徴とする実施形態２又は３記載の方法。
５．  前記セル再選択基準は、Ｔｒｅｓｅｌｅｃｔｉｏｎタイマが動作中であることを含むことを特徴とする実施形態４記載の方法。
６．  前記セル再選択基準は、新しいセルがサービングセルより良いランク付けのものとなった時以来、Ｔｒｅｓｅｌｅｃｔｉｏｎ時間間隔のＮパーセントが経過しており、ここでＮは、予め構成された値、または決定された値であることを含むことを特徴とする実施形態４又は５記載の方法。
７．  前記セル再選択基準は、ｔｒｅｓｅｌｅｃｔｉｏｎタイマがＮ未満の時間間隔で満了することになり、ここでＮは、所定の値、または決定すべき値とすることができることを含むことを特徴とする実施形態４ないし６のいずれか記載の方法。
８．  前記セル再選択基準は、ＵＬで送ろうとするデータビットの総量がＮより大きく、ここでＮは、ＷＴＲＵ内で予め決定されたこのＳＩＢを介してブロードキャストされた、予め構成された値、またはＷＴＲＵによって決定された値であることを含むことを特徴とする実施形態４ないし７のいずれか記載の方法。
９．  前記セル再選択基準は、ＵＬデータを送信するために必要とされる最大時間が、Ｔｒｅｓｅｌｅｃｔｉｏｎが満了するまでの残り時間未満であることを含むことを特徴とする実施形態４ないし８のいずれかに記載の方法。
１０．  前記セル再選択基準は、多数のセル再選択を実施するステップを含むことを特徴とする実施形態４ないし９のいずれかに記載の方法。
１１．  前記セル再選択基準は、送信しなければならないアップリンク（ＵＬ）データを、論理チャネルを介して送信するステップを含むことを特徴とする実施形態４ないし１０のいずれかに記載の方法。
１２．  前記セル再選択基準は、専用Ｅ−ＲＮＴＩがすでに割り当てられていることを含むことを特徴とする実施形態４ないし１１のいずれかに記載の方法。
１３．  サービングセルの信号品質が１つまたは複数の測定期間にわたって低下しつつあるとき、Ｅ−ＲＡＣＨに対するアクセスが制限されることを特徴とする実施形態１ないし４のいずれかに記載の方法。
１４．  Ｅ−ＲＡＣＨアクセスが制限され、アップリンクデータを送信する必要があるとき、Ｔｒｅｓｅｌｅｃｔｉｏｎタイマをスケーリングすることができることを特徴とする実施形態１３記載の方法。
１５．  倍率がブロードキャストまたは予め構成されることを特徴とする実施形態１４記載の方法。
１６．  セル再選択は、Ｔｒｅｓｅｌｅｃｔｉｏｎタイマが満了しておらず、Ｅ−ＲＡＣＨを制限するための条件が満たされている場合でさえ、直ちに実施されることを特徴とする実施形態１３記載の方法。
１７．  前記条件が前記Ｔｒｅｓｅｌｅｃｔｉｏｎ時間を超えて存続していない場合、Ｅ−ＲＡＣＨに対するアクセスが許されることを特徴とする実施形態１３ないし１６のいずれかに記載の方法。
１８．  セル再選択基準が満たされることによりＥ−ＲＡＣＨアクセスが制限されているとき、送信すべき新しいデータの量を示す指示をＣＥＬＬ＿ＵＰＤＡＴＥ内に添付するステップをさらに具えたことを特徴とする実施形態４ないし１２のいずれかに記載の方法。
１９．  この新しいデータをターゲットセル上で送るために、競合のない拡張専用チャネル（ＥＤＣＨ）リソースが使用されることを特徴とする実施形態１８記載の方法。
２０．  プリアンブルランプアップ段階にある間に前記セル再選択基準が満たされない場合、Ｅ−ＲＡＣＨに対するアクセスが許されることを特徴とする実施形態４ないし１２のいずれかに記載の方法。
２１．  前記セル再選択基準が満たされ、アップリンクリソースがアクセスを受けているとき、アップリンクデータ転送速度が制限されることを特徴とする実施形態４ないし２０のいずれかに記載の方法。
２２．  Ｅ−ＲＡＣＨに対するアクセスを制限するための条件の少なくとも１つが満たされているが、アクセスが制限されないとき、アップリンクデータ転送速度が制限されることを特徴とする実施形態１３ないし２０のいずれかに記載の方法。
２３．  前記データ転送速度が独立して制御されることを特徴とする実施形態２１又は２２記載の方法。
２４．  サービングセルおよび隣接セルに対して行われた測定に基づいて、使用するトランスポートブロックサイズを決定するステップをさらに具えたことを特徴とする実施形態２３記載の方法。
２５．  アップリンク内で送信している間、セル再選択基準が満たされたとき、１つのトランスポートブロックまたは１組のトランスポートブロックが、使用するために指定されることを特徴とする実施形態２４記載の方法。
２６．  セル再選択タイマが満了したとき、またはＥ−ＲＡＣＨアクセスを開始するとき、ノードＢに指示を送信するステップをさらに具えたことを特徴とする実施形態２１又は２２記載の方法。
２７．  前記指示は、セル再選択基準を示すためのシステム情報（ＳＩ）の特別な予約値を使用して送信されることを特徴とする実施形態２６記載の方法。
２８．  ０に等しいトータルＥ−ＤＣＨバッファステータス（ＴＥＢＳ）と共にＳＩを送信するステップをさらに具えたことを特徴とする実施形態２７記載の方法。
２９．  セル再選択基準が発生したことを示すために論理チャネルＩＤの予約フィールドが使用されたことを特徴とする実施形態２７記載の方法。
３０．  セル再選択基準が満たされたとき新しいトリガ基準を使用してＳＩをトリガするステップをさらに具えたことを特徴とする実施形態２６記載の方法。
３１．  前記指示は、拡張専用物理制御チャネル（Ｅ−ＤＰＣＣＨ）内の拡張トランスポートフォーマット組合せインジケータ（ＥＴＦＣＩ）の特別な予約値を使用して送信されることを特徴とする実施形態２６記載の方法。
３２．  前記指示は、高速ＤＰＣＣＨ内の予約されたチャネル品質インジケータ値を使用して送信されることを特徴とする実施形態２６記載の方法。
３３．  前記指示は、媒体アクセス制御（ＭＡＣ）−ｅパケットデータユニット（ＰＤＵ）に添付されることを特徴とする実施形態２６記載の方法。
３４．  前記指示の存在がＭＡＣ−ｅヘッダを介してシグナリングされることを特徴とする実施形態３３記載の方法。
３５．  前記指示は、任意のレイヤ１またはレイヤ２メッセージ内で送信されることを特徴とする実施形態２６記載の方法。
３６．  前記指示は、セルＩＤを含む隣接セルからの測定結果が添付されるレイヤ３メッセージ内で送信されることを特徴とする実施形態２６記載の方法。
３７．  前記指示を受信するステップをさらに具えたことを特徴とする実施形態２６ないし３６のいずれかに記載の方法。
３８．  絶対グラント値を低減するステップをさらに具えたことを特徴とする実施形態３７記載の方法。
３９．  Ｅ−ＤＣＨリソースを解放し、この解放の明示的な指示を送信するステップをさらに具えたことを特徴とする実施形態３７ないし３９のいずれかに記載の方法。
４０．  セル再選択を実施するための許可を与えるために高速共用制御チャネル（ＨＳ−ＳＣＣＨ）オーダを送るステップをさらに具えたことを特徴とする実施形態３７ないし３９のいずれかに記載の方法。
４１．  レイヤ３メッセージを使用し、セル再選択を進めるようにＷＴＲＵに示すステップをさらに具えたことを特徴とする実施形態３７ないし４０のいずれかに記載の方法。
４２．  レイヤ３メッセージを使用し、ターゲットセルがＨＳ−ＤＳＣＨサービングセルとして働く状態で、無線送受信ユニット（ＷＴＲＵ）をＣＥＬＬ＿ＤＣＨに移行するステ
ップをさらに具えたことを特徴とする実施形態３７ないし４１のいずれかに記載の方法。
４３．  レイヤ３メッセージを使用し、サービングセルがソースである状態で、直ちにＷＴＲＵをソフトハンドオーバに移行するステップをさらに具えたことを特徴とする実施形態３７ないし４２のいずれかに記載の方法。
４４．  ＷＴＲＵがＥ−ＤＣＨを介してアクセスを開始しつつあるとき、様々なセルでの受信信号の測定レベルに基づいて、ＷＴＲＵがセルに対して著しい干渉を引き起こしやすいと決定するステップをさらに具えたことを特徴とする実施形態１ないし４３のいずれかに記載の方法。
４５．  前記決定は、前記ＷＴＲＵがプリアンブルを送信しているとき行われることを特
徴とする実施形態４４記載の方法。
４６．  前記決定は、ＵＥによるＥ−ＤＣＨ送信中、しかし競合解決前に行われることを特徴とする実施形態４４又は４５記載の方法。
４７．  前記決定は、前期ＷＴＲＵによるＥ−ＤＣＨ送信中かつ競合解決後に行われることを特徴とする実施形態４４ないし４６のいずれかに記載の方法。
４８．  獲得インジケータチャネル（ＡＩＣＨ）を介して否定応答を送信するステップをさらに具えたことを特徴とする実施形態４４ないし４７のいずれかに記載の方法。
４９．  小さなデフォルトのグラントでリソースを割り当てるステップをさらに具えたことを特徴とする実施形態４４ないし４８のいずれかに記載の方法。
５０．  前記ＷＴＲＵに割り当てられたリソースを解放するステップをさらに具えたことを特徴とする実施形態４４ないし４９のいずれかに記載の方法。
５１．  前記リソースを解放した後でセル再選択を実施するように前記ＷＴＲＵに示すステップをさらに具えたことを特徴とする実施形態５０記載の方法。
５２．  ある遅延が経過する間、アクセスを再試行しないようにＵＥに示すステップをさらに具えたことを特徴とする実施形態５０ないし５１のいずれかに記載の方法。
５３．  前記リソースを解放するための指示をＷＴＲＵで受信するステップをさらに具えたことを特徴とする実施形態４４ないし５２のいずれかに記載の方法。
５４．  Ｅ−ＤＣＨリソースをさらに具えたことを特徴とする実施形態５３記載の方法。
５５．  セル再選択を実施するステップをさらに具えたことを特徴とする実施形態５４記載の方法。
５６．  ある遅延時間前にアクセスを再試行しないように示す指示が受信された場合、Ｅ−ＤＣＨリソースに再びアクセスする前に、前記遅延の間待つステップをさらに具えたことを特徴とする実施形態５５記載の方法。
５７．  Ｅ−ＤＣＨリソースが割り当てられているとき、セル再選択を実施すべきであると決定するステップをさらに具えたことを特徴とする実施形態１ないし５６のいずれかに記載の方法。
５８．  前記決定は、以下の基準、すなわち、ＭＡＣ  ＰＤＵ失敗の割合が予め定義された閾値より高いこと、予め定義された数の連続する送信の間、ＨＡＲＱフィードバックを受信していないこと、または無線リンク失敗が発生することのうちの１つまたは複数が満たされるとき行われることを特徴とする実施形態５７記載の方法。
５９．  Ｅ−ＤＣＨリソースを解放するステップと、
セル再選択を実施するステップと
をさらに具えたことを特徴とする実施形態５８記載の方法。
６０．  既知の再選択期間が、最初のプリアンブル送信後、ＡＩＣＨ上でリソース割当てを残した後、または競合解決段階が成功裏に終了したという指示を受信した後のうちの１つまたは複数として定義されることを特徴とする実施形態１ないし５９のいずれかに記載の方法。
６１．  引き続き測定を行うステップと、
測定値をより高いレイヤにレポートするステップと、
これらの測定値に基づいてセール（sales）をランク付けするステップと
をさらに具えたことを特徴とする実施形態６０記載の方法。
６２．  より良いセルが見つかったとき、セルをＣｕｒｒｅｎｔ＿Ｂｅｓｔ＿Ｃｅｌｌとするステップをさらに具えたことを特徴とする実施形態６１記載の方法。
６３．  再選択できない期間中に新しいセルがより良いランク付けのものになったとき、Ｃｕｒｒｅｎｔ＿Ｂｅｓｔ＿Ｃｅｌｌを変更するステップをさらに具えたことを特徴とする実施形態６２記載の方法。
６４．  前記変更するステップが直ちに実施されることを特徴とする実施形態６３記載の方法。
６５．  前記変更するステップがある時間間隔後に実施されることを特徴とする実施形態６３記載の方法。
６６．  再選択できない期間の終了時に、直ちにＣｕｒｒｅｎｔ＿Ｂｅｓｔ＿Ｃｅｌｌ上でＣＥＬＬ＿ＵＰＤＡＴＥを送るステップをさらに具えたことを特徴とする実施形態６１ないし６２のいずれかに記載の方法。
６７．  前記ＣＥＬＬ＿ＵＰＤＡＴＥは、最後のＣＥＬＬ＿ＵＰＤＡＴＥ以来発生した変更に関する追加情報を含むことを特徴とする実施形態６６記載の方法。
６８．  各測定時にセルをランク付けするステップと、
より良いセルが見つかった場合、Ｔｒｅｓｅｌｅｃｔｉｏｎタイマを始動するステップと  をさらに具えたことを特徴とする実施形態６０ないし６３のいずれかに記載の方法。
６９．  再選択できない期間の終了時に、ＴｒｅｓｅｌｅｃｔｉｏｎタイマがＴｒｅｓｅｌｅｃｔｉｏｎ限度を超え、最良のセルがサービングセルと異なる場合、直ちにセル再選択を宣言するステップをさらに具えたことを特徴とする実施形態６８記載の方法。
７０．  再選択できない期間の終了時に、検出されたセット内でセルをランク付けするステップをさらに具えたことを特徴とする実施形態６０ないし６２のいずれかに記載の方法。
７１．  新しいセルがサービングセルより良いランク付けのものである場合、Ｔｒｅｓｅｌｅｃｔｉｏｎタイマが直ちに開始されることを特徴とする実施形態７０記載の方法。
７２．  Ｅ−ＲＡＣＨアクセスを試みる直前にランキングを実施するステップをさらに具えたことを特徴とする実施形態１ないし７１のいずれかに記載の方法。
７３．  サービングセルが最後のＴ＿Ｘ期間の間、もはや最良のセルではない場合、セル再選択を実施するステップをさらに具えたことを特徴とする実施形態７２記載の方法。
７４．  最後のＮ個の測定期間のうち少なくともＫ個の間、ある隣接セルがサービングセルより良いランク付けのものである場合、セル再選択を実施するステップをさらに具え、ここでＫおよびＮは所定の値であることを特徴とする実施形態７２記載の方法。
【００７０】
上記では特徴および要素が特定の組合せで述べられているが、各特徴および要素は、他の特徴および要素なしの単独で、または他の特徴および要素との、もしくは他の特徴および要素を用いない様々な組合せで使用することができる。本明細書において提供されている方法または流れ図は、汎用コンピュータまたはプロセッサによって実行するためのコンピュータ可読記憶媒体内に組み込まれるコンピュータプログラム、ソフトウェア、またはファームウェアで実施することができる。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内部ハードディスクや取外し式ディスクなど磁気媒体、光磁気媒体、ならびにＣＤ−ＲＯＭディスクおよびデジタル多用途ディスク（ＤＶＤ）など光媒体を含む。
【００７１】
好適なプロセッサは、例として、汎用プロセッサ、専用プロセッサ、従来のプロセッサ、デジタル信号プロセッサ（ＤＳＰ）、複数のマイクロプロセッサ、ＤＳＰコアに関連付けられた１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、ならびに任意の他のタイプの集積回路（ＩＣ）、および／または状態機械を含む。
【００７２】
ソフトウェアに関連付けられたプロセッサを使用し、無線送受信ユニット（ＷＴＲＵ）、ユーザ機器（ＷＴＲＵ）、端末、基地局、無線ネットワークコントローラ（ＲＮＣ）、または任意のホストコンピュータ内で使用するための無線周波数トランシーバを実装することができる。ＷＴＲＵは、カメラ、ビデオカメラモジュール、テレビ電話、スピーカフォン、振動デバイス、スピーカ、マイクロフォン、テレビトランシーバ、ハンドフリー用ハンドセット、キーボード、Ｂｌｕｅｔｏｏｔｈ（登録商標）モジュール、周波数変調（ＦＭ）無線ユニット、液晶ディスプレイ（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意の無線ローカルエリアネットワーク（ＷＬＡＮ）モジュールもしくは超広帯域（ＵＷＢ）モジュールなど、ハードウェアおよび／またはソフトウェアで実装されるモジュールと共に使用することができる。
【図１】
0005651671.tif 000002
【図２】
0005651671.tif 000003